(57)【要約】【課題】装着者が指を曲げる際の抵抗感を低減可能なスポーツ用手袋を提供すること。【解決手段】装着者の手の甲側を覆う手甲部２と、掌側を覆う掌部３と、親指を覆う親指部４とを少なくとも有し、これらを互いに縫い合わせることにより形成してなるスポーツ用手袋１である。掌部３は、掌側本体部３０と、手の人差し指、中指、薬指及び小指に対応する４つの掌側指部３１〜３４とを備えている。少なくとも一つの掌側指部３１〜３４には、指の第１関節、第２関節及び第３関節に対応する関節対応位置の少なくとも一部に、素材の厚みを一般部よりも薄くした薄肉部５１〜５３が設けられている。薄肉部５１〜５３は、４つの全ての掌側指部３１〜３４において、全ての関節対応位置に設けられていることが好ましい。薄肉部５１〜５３は、素材を型押しすることにより形成されていることが好ましい。【選択図】図１
2015077194.tif 000002
【特許請求の範囲】
【請求項１】
装着者の手の甲側を覆う手甲部と、掌側を覆う掌部と、親指を覆う親指部とを少なくとも有し、これらを互いに縫い合わせることにより形成してなるスポーツ用手袋であって、
上記掌部は、掌側本体部と、手の人差し指、中指、薬指及び小指に対応する４つの掌側指部とを備えており、
少なくとも一つの上記掌側指部には、指の第１関節、第２関節及び第３関節に対応する関節対応位置の少なくとも一部に、素材の厚みを一般部よりも薄くした薄肉部が設けられていることを特徴とするスポーツ用手袋。
【請求項２】
上記薄肉部は、上記４つの全ての上記掌側指部において、上記全ての関節対応位置に設けられていることを特徴とする請求項１に記載のスポーツ用手袋。
【請求項３】
上記薄肉部は、上記素材を型押しすることにより形成されていることを特徴とする請求項１又は２に記載のスポーツ用手袋。
【請求項４】
上記薄肉部は、上記掌側指部の幅方向に延びる帯状形状を呈していることを特徴とする請求項１〜３のいずれか１項に記載のスポーツ用手袋。
【請求項５】
上記掌部の上記掌側本体部にも、１本又は複数本の帯状形状の上記薄肉部が設けられていることを特徴とする請求項１〜４のいずれか１項に記載のスポーツ用手袋。
【請求項６】
上記掌部は、１枚の上記素材から形成され、上記掌側本体部と４つの上記掌側指部とを一体的に備えていることを特徴とする請求項１〜５のいずれか１項に記載のスポーツ用手袋。
【請求項７】
上記掌部は、上記一般部が凹凸模様柄を有し、上記薄肉部が平滑表面柄を有することを特徴とする請求項１〜６のいずれか１項に記載のスポーツ用手袋。
【請求項８】
上記スポーツ用手袋は、ゴルフ用であることを特徴とする請求項１〜７のいずれか１項に記載のスポーツ用手袋。
【発明の詳細な説明】
【技術分野】
【０００１】
本発明は、ゴルフ用手袋あるいは野球のバッティング用手袋等のスポーツ用手袋に関する。
【背景技術】
【０００２】
ゴルフ用手袋等のスポーツ用手袋は、天然皮革、人工皮革あるいは合成皮革等のシート状の素材を裁断して形成した複数の部材を縫い合わせることにより作製される。ゴルフ用手袋としては、種々の素材を用いたものが開発されており、フィット感、滑り防止性、耐久性、通気性等の様々な要求特性を改善する工夫がなされている。
【０００３】
また、ゴルフ用手袋は、装着者が指を伸ばした状態で装着し、使用時には指の部分を曲げてゴルフクラブのグリップを握る。そのため、グリップを握る際に、指の部分が曲げやすく、抵抗が少ないことが好ましい。この対策の一種として、手甲部に特殊な合成皮革を用い、弱い力で伸ばすことができる性能を持たせたものが提案されている（特許文献１参照）。
【先行技術文献】
【特許文献】
【０００４】
【特許文献１】特開２０１３−１５８５３３号公報
【発明の概要】
【発明が解決しようとする課題】
【０００５】
しかしながら、手甲部の素材を工夫しただけでは、必ずしも十分な指部の曲げやすさが実現できるとは限らない。一方、素材の種類にかかわらず、構造的に指部の曲げやすさを向上させることができれば、これまで以上に優れたゴルフ用手袋の開発が可能となる。また、このような技術の開発は、ゴルフ用手袋に限らず、野球のバッティング用手袋等においても同様に有効である。なお、スポーツ用手袋の指の曲げやすさを定量的に判定することは難しく、実際には、手袋装着者が指を曲げる際に感じる抵抗感が高いか低いかによって判定されることとなる。
【０００６】
本発明は、かかる背景に鑑みてなされたものであり、装着者が指を曲げる際の抵抗感を低減可能なスポーツ用手袋を提供しようとするものである。
【課題を解決するための手段】
【０００７】
本発明の一態様は、装着者の手の甲側を覆う手甲部と、掌側を覆う掌部と、親指を覆う親指部とを少なくとも有し、これらを互いに縫い合わせることにより形成してなるスポーツ用手袋であって、
上記掌部は、掌側本体部と、手の人差し指、中指、薬指及び小指に対応する４つの掌側指部とを備えており、
少なくとも一つの上記掌側指部には、指の第１関節、第２関節及び第３関節に対応する関節対応位置の少なくとも一部に、素材の厚みを一般部よりも薄くした薄肉部が設けられていることを特徴とするスポーツ用手袋にある。
【発明の効果】
【０００８】
上記スポーツ用手袋は、上記のごとく、掌側指部の関節対応位置の少なくとも一部に、素材の厚みを一般部よりも薄くした薄肉部が設けられている。この薄肉部は、周囲の一般部よりも厚みが薄いことによって、曲げ剛性が低い。これにより、上記スポーツ用手袋を装着した使用者が指を曲げる際の抵抗感を、これまで以上に低減することができる。また、上記薄肉部の存在による効果は、素材の種類にかかわらず発揮させることができる。そして、上記薄肉部を設けた関節対応位置以外の一般部は、素材の本来の機能を犠牲にすることなくそのまま有効に発揮させることができる。それ故、ゴルフ用手袋等の道具を握る様々なスポーツに用いる手袋において、これまで達成してきた種々の機能を犠牲にすることなく、指を曲げる際の抵抗感を低減するというプラスアルファの効果を付け加えることができる。
【図面の簡単な説明】
【０００９】
【図１】実施例１における、スポーツ用手袋（ゴルフ用手袋）を示す説明図。
【図２】実施例１における、（ａ）手甲部、（ｂ）掌部の各部品を示す説明図。
【図３】実施例１における、薄肉部の断面形状を示す説明図（図２のＸ−Ｘ線や視断面図）。
【図４】実施例１における、親指部を示す説明図。
【図５】実施例１における、ハギ部を示す説明図。
【図６】実施例２における、スポーツ用手袋（ゴルフ用手袋）を示す説明図。
【００１０】
上記スポーツ用手袋において、上記掌側指部における関節対応位置は、指の第１関節、第２関節及び第３関節に対応する位置である。ここで、指の第１関節は、各指の先端側（爪側）に最も近い関節を意味し、指の第２関節は、各指の先端側（爪側）から２番目の関節を意味し、指の第３関節は、各指の付け根部分の関節を意味する。そして、上記薄肉部は、掌側指部における上記３つの関節対応位置の少なくとも一部に設けることができる。
【００１１】
一方、上記薄肉部は、上記４つの全ての掌側指部において、全ての関節対応位置に設けられていることが好ましい。すなわち、上記薄肉部は一部の関節対応位置に設けても効果が得られるが、４つの全ての上記掌側指部の全ての関節対応位置に設けることによって、指を曲げる際の抵抗感をより低減できる効果が得られる。
【００１２】
また、上記薄肉部は、シート状の上記素材を型押しすることにより形成することができる。すなわち、素材としては、所望の素材を用い、上記薄肉部を設ける位置に型を押しつけて圧縮することにより設けることができる。型押しは、通常は、素材にダメージを与えない範囲で加熱した金型を素材に押し当てることによって行う。このように型押しによって薄肉部を設けることによって、素材の引張り強度等を大きく低下させることなく薄肉部を設けることができ、耐久性を維持することができる。また、型押しを採用することによって、薄肉部の形成位置を容易に調整することができ、かつ、薄肉部の形状そのものも型の形状で制御することができ、製造が容易となると共にデザイン性の向上を図ることもできる。
【００１３】
また、上記薄肉部は、上記掌側指部の幅方向に延びる帯状形状を呈していることが好ましい。この場合には、各関節対応位置における上記掌側指部が屈曲する線に沿った上記薄肉部の配置を容易に実現することができる。なお、上記薄肉部は、デザイン上の観点から、帯状形状に限らず、円状、楕円状、多角形状その他の様々な形状に変更することができる。
【００１４】
また、上記掌部の上記掌側本体部にも、１本又は複数本の帯状形状の上記薄肉部が設けられていてもよい。すなわち、上記スポーツ用手袋を装着した状態で装着者が手を握った場合には、掌側本体部についても屈曲することとなる。そのため、上記掌側本体部についても、１又は複数の薄肉部を設けることにより、さらに、握る動作全体をより抵抗感の少ないものにすることができる。
【００１５】
上記掌側本体部に設ける薄肉部としては、後述する実施例にも示すごとく、親指の付け根部分に沿ったいわゆる生命線位置、掌を横切る位置のいわゆる感情線位置に対応する部分に設けることができる。
【００１６】
また、掌側本体部と掌側指部とは、任意の部位において切り離された別部材を縫い合わせて構成することも可能である。しかしながら、最も好ましくは、上記掌部は、１枚の上記素材から形成され、上記掌側本体部と４つの上記掌側指部とを一体的に備えているのがよい。これにより、掌部内における縫合部が存在する場合の指曲げ時の影響を完全に排除することができる。さらに、上記型押しによる薄肉部の形成方法を採用した場合には、同時に複数の薄肉部を形成することができるので、製造が容易である。
【００１７】
また、上記掌部は、上記一般部が凹凸模様柄を有し、上記薄肉部が平滑表面柄を有するものとすることができる。この場合には、掌部の一般部については、ノンスリップ性その他の特性を得るために、凹凸模様柄の素材をそのまま用いることができ、上記薄肉部は、凹凸模様柄を押し潰して平滑な表面柄にすることによって、容易に薄肉化することが可能である。
【００１８】
また、上記スポーツ用手袋は、ゴルフ用とすることができる。すなわち、ゴルフ用手袋は、スポーツ用手袋の中でも、道具であるゴルフクラブを握った際の微妙な感覚が最も重視されるものの一つである。そのため、上記スポーツ用手袋は、ゴルフ用に適用することによって、その優れた効果をより有効に発揮させることができる。
【実施例】
【００１９】
（実施例１）
上記スポーツ用手袋の実施例について、図を用いて説明する。本例のスポーツ用手袋１はゴルフ用手袋であって、図１に示すごとく、装着者の手の甲側を覆う手甲部２と、掌側を覆う掌部３と、親指を覆う親指部４とを少なくとも有し、これらを互いに縫い合わせることにより形成されている。
【００２０】
図１、図２（ｂ）に示すごとく、掌部３は、掌側本体部３０と、手の人差し指、中指、薬指及び小指に対応する４つの掌側指部３１〜３４とを備えている。そして、少なくとも一つの掌側指部３１〜３４には、指の第１関節、第２関節及び第３関節に対応する関節対応位置の少なくとも一部に、素材の厚みを一般部５０よりも薄くした薄肉部５１〜５３が設けられている。以下、さらに詳説する。
【００２１】
本例のスポーツ用手袋（ゴルフ用手袋）１に用いる主要な部品は、図２、図４、図５に示すごとく、上述した手の甲側を覆う手甲部２と、掌側を覆う掌部３と、親指を覆う親指部４とからなる。親指部４は、甲側親指部４１と、掌側親指部４２という２つの別部品より構成されている。また、各指部の間に位置する部分に用いる部品としては、ハギ部７１〜７６が用いられる。
【００２２】
手甲部２は、図１、図２（ａ）に示すごとく、甲側本体部２０と、親指を除く４本の指の甲側の面となる甲側指部２１〜２４とを有するものである。手甲部２には、通気性を確保するための貫通穴２９が多数設けられている。手甲部２は、本例のように１枚の素材により構成してもよいが、異なる複数種類の素材を部分的に用いて縫い合わせて形成してもよい。手甲部２の素材としては、天然皮革、合成皮革、人工皮革その他様々な素材を用いることができる。
【００２３】
掌部３は、図１、図２（ｂ）に示すごとく、掌本体部３０と、上述した４つの掌側指部３１〜３４とを有するものであり、表面に凹凸模様柄を有する人工皮革を素材とするものである。なお、掌部３の素材についても、種々の天然皮革、合成皮革などの他の素材に変更することができる。また、表面柄も平滑柄その他の種々の柄に変更可能である。
【００２４】
また、掌部３は、１枚の上記素材から形成され、掌側本体部３０と４つの掌側指部３１〜３４とを一体的に備えている。そして、本例では、４つの全ての掌側指部３１〜３４において、全ての関節対応位置、すなわち、指の第１関節対応位置、第２関節対応位置及び第３関節対応位置のすべてに、素材の厚みを一般部よりも薄くした薄肉部５１（第１関節対応位置）、薄肉部５２（第２関節対応位置）及び薄肉部５３（第３１関節対応位置）が設けられている。
【００２５】
薄肉部５１〜５３は、掌側指部３１〜３４の幅方向に延びる幅寸法約５ｍｍ程度の帯状形状を呈したものである。この薄肉部５１〜５３は、掌部３をシート状の素材から裁断した後、型押しすることにより形成されている。型押しは、薄肉部５１〜５３に対応する凸状の押圧面を備えた金型（図示略）を、約１８０℃に加温した状態で、プレスにより掌部３に押しつけることにより実施することができる。本例の全ての薄肉部５１〜５３は、型押しによって、同時に、所望の位置に正確に形成されている。
【００２６】
また、全ての薄肉部５１〜５３は、図３に示すごとく、型押しに用いた金型の押圧面（図示略）を平滑な表面としたことによって、薄肉部５１〜５３の表面も平滑な表面柄を有するものとなっている。そして、その周囲の一般部５０は、素材の柄である凹凸模様柄（凸部５０１及び凹部５０２を有する柄）の状態が維持されている。本例では、一般部５０のＪＩＳ厚みｔ0は、最も厚い部分で約０．５０ｍｍであり、薄肉部５１〜５３の厚みｔ1が約０．４０ｍｍとなっている。
【００２７】
親指部４は、図１、図４に示すごとく、甲側親指部４１と掌側親指部４２とを別部品としてある。掌側親指部４２は、掌部３と同じ素材から形成したものであり、表面に凹凸模様柄を有している。掌側親指部４２には、薄肉部は設けていない。ゴルフ用手袋においては、通常は、親指を曲げる動作を行わない場合が多いためである。
【００２８】
甲側親指部４１は、手甲部２と同じ素材により作製し、これにも通気性を確保するための貫通穴４９が多数設けられている。甲側親指部４１と掌側親指部４２とは、一体的に同じ素材によって構成することも可能である。甲側親指部４１及び掌側親指部４２の素材としても、天然皮革、合成皮革、人工皮革その他様々な素材を用いることができる。
【００２９】
ハギ部７１〜７６は、本例では、伸縮性の高い生地素材によって作製した。このハギ部７１〜７６も他の様々な素材に変更可能である。
その他、細かな部品としては、ゴム部品、手甲部２の開口部２８を止めるための止め具（図示略）、手首側端部等に縫い付ける縁取り部材１３等、公知の種々の部品を用いる。
【００３０】
これらの部品を互いに縫い合わせて完成させたスポーツ用手袋１は、上記のごとく、掌側指部３１〜３４の関節対応位置部に、素材の厚みを一般部よりも薄くした薄肉部５１〜５３が設けられている。これにより、スポーツ用手袋１を装着した使用者が指を曲げる際の抵抗感を、これまで以上に低減することができる。
【００３１】
また、薄肉部５１〜５３の存在による効果は、素材の種類にかかわらず発揮させることができる。たとえば本例の掌部３の素材は凹凸表面柄を有し、ノンスリップ性等に有利なものであるが、指の関節対応位置のみに薄肉部５１〜５３を設けてあるため、一般部５０では素材本来の機能をそのまま発揮させることができる。したがって、本例の構成を適用すれば、これまでの種々の種類のゴルフ用手袋の種々のコンセプトをそのままに、指を曲げる際の抵抗感を低減するというプラスアルファの効果を付け加えたものを作製することが可能となる。
【００３２】
（実施例２）
本例のスポーツ用手袋（ゴルフ用手袋）１０２は、実施例１における掌側本体部３０に、さらに２本の薄肉部５４、５５を設けた例である。すなわち、掌側本体部３０における親指の付け根部分に沿ったいわゆる生命線位置に、帯状形状の薄肉部５４を略円弧状に設け、また、掌側本体部３０を横切る位置のいわゆる感情線位置に、帯状形状の薄肉部５５を直線状に設けた。
【００３３】
本例の場合には、上記のごとく、掌部３の掌側本体部３０にも、帯状形状の薄肉部５４、５５が設けられている。そのため、スポーツ用手袋１０２を装着した状態で装着者が手を握った場合には、掌側本体部３０における屈曲する部分、つまり、生命線位置及び感情線位置に設けた薄肉部５４、５５の存在により、握る動作全体をより抵抗感の少ないものにすることができる。その他は、実施例１と同様の効果を得ることができる。
【００３４】
なお、上述した実施例１及び２においては、掌部３の素材として、凹凸模様柄のものを用いたが、これに代えて平滑な表面柄のものその他の様々な素材を適用可能なことはいうまでもない。さらに、実施例１及び２における一部の薄肉部の形成を省略すること、あるいは他の位置に追加することも可能である。
【符号の説明】
【００３５】
１、１０２  スポーツ用手袋（ゴルフ用手袋）
２  手甲部
３  掌部
３１〜３４  掌側指部
４  親指部
５１〜５５  薄肉部
【図１】
2015077194.tif 000003
【図２】
2015077194.tif 000004
【図３】
2015077194.tif 000005
【図４】
2015077194.tif 000006
【図５】
2015077194.tif 000007
【図６】
2015077194.tif 000008